(57)【特許請求の範囲】
【請求項１】
第１のキャリア網と通信する第１の端末への呼を、第２のキャリア網と通信する第２の端末へ転送するための呼転送システムであって、
着信先の前記第１の端末の識別情報と、転送先の前記第２の端末の識別情報とが対応して記憶されるプレゼンス情報記憶領域を有するホームサーバと、
前記第１の端末の識別情報に対応して、前記ホームサーバの識別情報が記憶されるサーバ情報記憶領域を有し、呼制御を行う呼制御サーバと
を備え、
前記呼制御サーバは、発信元の第３の端末の識別情報と着信先の前記第１の端末の識別情報とを含む第１の発呼要求を受信し、
前記呼制御サーバは、前記サーバ情報記憶領域を参照して前記第1の端末の識別情報に対応する前記ホームサーバを特定し、
前記呼制御サーバは、第１の発呼要求を受信すると、着信先の前記第１の端末の識別情報に従い前記第１の端末へ転送し、前記第１の端末を予め定められた時間呼び出して応答がない場合に、特定されたホームサーバへ着信先の前記第１の端末の識別情報を送信し、
前記ホームサーバは、受信された第１の端末の識別情報に基づき前記プレゼンス情報記憶領域を参照して、対応する転送先の前記第２の端末の識別情報を取得し、取得された第２の端末の識別情報を前記呼制御サーバに送信し、
前記呼制御サーバは、第２の端末の識別情報を受信し、発信元の前記第３の端末の識別情報と転送先の前記第２の端末の識別情報とを含む第２の発呼要求を、第２のキャリア網を介して前記第２の端末へ送信し、
該第２の発呼要求を受信した着信先の前記第２の端末と発信元の前記第３の端末で通信される前記呼転送システム。
【請求項２】
第１のキャリア網と通信する第１の端末への呼を、第２のキャリア網と通信する第２の端末へ転送するための呼転送システムであって、
着信先の前記第１の端末の識別情報と、転送先の前記第２の端末の識別情報とが対応して記憶されるプレゼンス情報記憶領域を有し、前記第１の端末への発呼要求の有無を監視するホームサーバと、
呼制御を行う呼制御サーバと
を備え、
前記呼制御サーバは、発信元の第３の端末の識別情報と着信先の前記第１の端末の識別情報とを含む第１の発呼要求を、着信先の前記第１の端末の識別情報に従い前記第１の端末へ転送し、
前記ホームサーバは、前記第１の端末への第１の発呼要求を検出すると、該第１の発呼要求に含まれる着信先の第１の端末の識別情報に基づき前記プレゼンス情報記憶領域を参照して、対応する転送先の前記第２の端末の識別情報を取得し、取得された第２の端末の識別情報を前記呼制御サーバに送信し、
前記呼制御サーバは、第２の端末の識別情報を受信し、発信元の前記第３の端末の識別情報と転送先の前記第２の端末の識別情報とを含む第２の発呼要求を、第２のキャリア網を介して前記第２の端末へ送信し、
該第２の発呼要求を受信した着信先の前記第２の端末と発信元の前記第３の端末で通信される前記呼転送システム。
【請求項３】
前記ホームサーバは、第１の発呼要求を検出すると、前記第1の端末に発呼キャンセルを指示する請求項２に記載の呼転送システム。
【請求項４】
第１のキャリア網と通信する第１の端末への呼を、第２のキャリア網と通信する第２の端末へ転送するための呼転送方法であって、
呼制御サーバは、発信元の第３の端末の識別情報と着信先の第１の端末の識別情報とを含む第１の発呼要求を、着信先の第１の端末の識別情報に従い第１の端末へ転送するステップと、
ホームサーバは、第1の端末への第１の発呼要求を検出すると、該第１の発呼要求に含まれる着信先の第１の端末の識別情報に基づき、着信先の第１の端末の識別情報と、転送先の第２の端末の識別情報とが対応して記憶されるプレゼンス情報記憶領域を参照して、対応する転送先の第２の端末の識別情報を取得し、取得された第２の端末の識別情報を呼制御サーバに送信するステップと、
呼制御サーバは、第２の端末の識別情報を受信し、発信元の第３の端末の識別情報と転送先の第２の端末の識別情報とを含む第２の発呼要求を、第２のキャリア網を介して第２の端末へ送信するステップと、
該第２の発呼要求を受信した着信先の第２の端末と発信元の第３の端末で通信されるステップと
を含む前記呼転送制御方法。
【発明の詳細な説明】
【技術分野】
【０００１】
本発明は、呼転送システム及び呼転送制御方法に係り、特に、ホームプレゼンスサーバを用いて呼を転送制御する呼転送システム及び呼転送制御方法に関する。
【背景技術】
【０００２】
従来、キャリア側にプレゼンスサーバを設置し、登録されたプレゼンス情報に基づいて呼を転送する技術が開示されている（例えば、特許文献１参照）。
例えば、特許文献１に開示されたデータ転送装置では、発呼要求を受けた際に、着呼者が利用可能な端末情報を含むプレゼンス情報を取得し、利用可能な端末が複数存在する場合には、通信料金や通話品質などの優先度に従ってユーザ要望に適合した通信端末を選択し、呼転送を行っている。
【０００３】
また、特許文献２には、例えば、ユーザ宅内でＩＰ電話などのサービスやアプリケーションを選択する端末機器が開示されている。
【特許文献１】特開２００５−２６９２９９号公報
【特許文献２】特開２００６−１６５７２３号公報
【発明の開示】
【発明が解決しようとする課題】
【０００４】
特許文献１に開示された技術では、プレゼンス情報として通話品質、通話料金の優先度を設定した後に、状況により複数端末の中の着信転送先を決定している。しかしながら、複数のキャリア網を有するシステムにおいて、あるキャリア契約の端末への着信を、異なるキャリア契約の端末に転送するには、キャリア同士がそれぞれの個人情報を共有してネットワークレベルでリダイレクションし、課金も一箇所で集計する必要があるが、各キャリアは別法人なので個人情報の共有はできない課題がある。
【０００５】
また、従来の着信転送サービスなどでは、端末Ａから端末Ｂへの着信を端末Ｃに転送する場合、該着信を端末Ｂで終端し、着信先の端末Ｂから端末Ｃへ呼を接続する場合があり、端末Ｂと端末Ｃとの通信は端末Ｂに課金される場合があった。
【０００６】
本発明は、以上の点に鑑み、あるキャリア網の端末への着信を他のキャリア網への端末へ転送する際に、キャリアが個人情報を共有せずに着信の転送を実現する呼転送システム及び呼転送制御方法を提供することを目的のひとつとする。また、本発明は、端末Ａからあるキャリア網の端末Ｂへの着信を他のキャリア網の端末Ｃへ転送する際に、端末Ｂに課金されずに通信する呼転送システム及び呼転送制御方法を提供することを目的のひとつとする。
【課題を解決するための手段】
【０００７】
本発明は、複数の電話端末を有する個人が、ホームサーバを加入者宅に設置し、それぞれ別キャリアと契約した固定電話、携帯電話などの複数端末に関して、契約主体である個人がＰＣや電話端末等により、自己責任において端末情報に関するプレゼンス情報を事前にホームサーバへ登録する。ホームサーバは異キャリア契約情報混在の個人情報を管理し、キャリア網からの発呼に対して該プレゼンス情報を抽出し、異なるキャリア契約の端末間のリダイレクションを実現させる。
【０００８】
例えば、ホームプレゼンスサーバ情報転送制御方式は、ＳＩＰ（Ｓｅｓｓｉｏｎ  Ｉｎｉｔｉａｔｉｏｎ  Ｐｒｏｔｏｃｏｌ）を用いたＩＰ（Ｉｎｔｅｒｎｅｔ  Ｐｒｏｔｏｃｏｌ）ネットワークに接続された加入者宅内に、ＩＰ固定電話とプレゼンス機能を有するホームサーバを設置して、該サーバに電話等の個人の持つ複数端末情報に関するプレゼンス情報を個人が登録し、その情報に従ってキャリア網からの着信呼をホームプレゼンスサーバ上でインターワークして別キャリア契約端末へリダイレクションを行う。
【０００９】
また、上記記載のホームプレゼンスサーバ情報転送制御方式において、キャリア網から加入者宅設置の固定電話を呼び出し、ある特定時間応答がない場合に、ホームプレゼンスサーバに登録されたプレゼンス情報に従って、リダイレクションを行う。
【００１０】
上記記載のホームプレゼンスサーバ情報転送制御方式において、発電話端末から特定電番を付与した相手先固定電話の電番で発呼した場合、キャリア網からホームプレゼンスサーバへ発呼を行い、ホームプレゼンスサーバのプレゼンス情報に従って、リダイレクションを行う。
【００１１】
また、上記記載のホームプレゼンスサーバ情報転送制御方式において、キャリア網から加入者宅設置の固定電話を呼び出した場合、ホームプレゼンスサーバで発呼を監視し、固定電話への呼び出しをキャンセルし、ホームプレゼンスサーバに登録されたプレゼンス情報に従って、リダイレクションを行う。
【００１２】
本発明の第１の解決手段によると、
第１のキャリア網と通信する第１の端末への呼を、第２のキャリア網と通信する第２の端末へ転送するための呼転送システムであって、
着信先の前記第１の端末の識別情報と、転送先の前記第２の端末の識別情報とが対応して記憶されるプレゼンス情報記憶領域を有するホームサーバと、
前記第１の端末の識別情報に対応して、前記ホームサーバの識別情報が記憶されるサーバ情報記憶領域を有し、呼制御を行う呼制御サーバと
を備え、
前記呼制御サーバは、発信元の第３の端末の識別情報と着信先の前記第１の端末の識別情報とを含む第１の発呼要求を受信し、
前記呼制御サーバは、前記サーバ情報記憶領域を参照して前記第1の端末の識別情報に対応する前記ホームサーバを特定し、該ホームサーバへ着信先の前記第１の端末の識別情報を送信し、
前記ホームサーバは、受信された第１の端末の識別情報に基づき前記プレゼンス情報記憶領域を参照して、対応する転送先の前記第２の端末の識別情報を取得し、取得された第２の端末の識別情報を前記呼制御サーバに送信し、
前記呼制御サーバは、第２の端末の識別情報を受信し、発信元の前記第３の端末の識別情報と転送先の前記第２の端末の識別情報とを含む第２の発呼要求を、第２のキャリア網を介して前記第２の端末へ送信し、
該第２の発呼要求を受信した着信先の前記第２の端末と発信元の前記第３の端末で通信される前記呼転送システムが提供される。
【００１３】
本発明の第２の解決手段によると、
第１のキャリア網と通信する第１の端末への呼を、第２のキャリア網と通信する第２の端末へ転送するための呼転送システムであって、
着信先の前記第１の端末の識別情報と、転送先の前記第２の端末の識別情報とが対応して記憶されるプレゼンス情報記憶領域を有し、前記第１の端末への発呼要求の有無を監視するホームサーバと、
呼制御を行う呼制御サーバと
を備え、
前記呼制御サーバは、発信元の第３の端末の識別情報と着信先の前記第１の端末の識別情報とを含む第１の発呼要求を、着信先の前記第１の端末の識別情報に従い前記第１の端末へ転送し、
前記ホームサーバは、前記第１の端末への第１の発呼要求を検出すると、該第１の発呼要求に含まれる着信先の第１の端末の識別情報に基づき前記プレゼンス情報記憶領域を参照して、対応する転送先の前記第２の端末の識別情報を取得し、取得された第２の端末の識別情報を前記呼制御サーバに送信し、
前記呼制御サーバは、第２の端末の識別情報を受信し、発信元の前記第３の端末の識別情報と転送先の前記第２の端末の識別情報とを含む第２の発呼要求を、第２のキャリア網を介して前記第２の端末へ送信し、
該第２の発呼要求を受信した着信先の前記第２の端末と発信元の前記第３の端末で通信される前記呼転送システムが提供される。
【００１４】
本発明の第３の解決手段によると、
第１のキャリア網と通信する第１の端末への呼を、第２のキャリア網と通信する第２の端末へ転送するための呼転送制御方法であって、
呼制御サーバは、発信元の第３の端末の識別情報と着信先の第１の端末の識別情報とを含む第１の発呼要求を受信するステップと、
呼制御サーバは、第１の端末の識別情報に対応して、ホームサーバの識別情報が記憶されるサーバ情報記憶領域を参照して、着信先の第1の端末の識別情報に対応するホームサーバを特定し、該ホームサーバへ着信先の第１の端末の識別情報を送信するステップと、
ホームサーバは、受信された第１の端末の識別情報に基づき、着信先の第１の端末の識別情報と、転送先の第２の端末の識別情報とが対応して記憶されるプレゼンス情報記憶領域を参照して、対応する転送先の第２の端末の識別情報を取得し、取得された第２の端末の識別情報を呼制御サーバに送信するステップと、
呼制御サーバは、第２の端末の識別情報を受信し、発信元の第３の端末の識別情報と転送先の第２の端末の識別情報とを含む第２の発呼要求を、第２のキャリア網を介して第２の端末へ送信するステップと、
該第２の発呼要求を受信した着信先の第２の端末と発信元の第３の端末で通信されるステップと
を含む前記呼転送制御方法が提供される。
【００１５】
本発明の第４の解決手段によると、
第１のキャリア網と通信する第１の端末への呼を、第２のキャリア網と通信する第２の端末へ転送するための呼転送方法であって、
呼制御サーバは、発信元の第３の端末の識別情報と着信先の第１の端末の識別情報とを含む第１の発呼要求を、着信先の第１の端末の識別情報に従い第１の端末へ転送するステップと、
ホームサーバは、第1の端末への第１の発呼要求を検出すると、該第１の発呼要求に含まれる着信先の第１の端末の識別情報に基づき、着信先の第１の端末の識別情報と、転送先の第２の端末の識別情報とが対応して記憶されるプレゼンス情報記憶領域を参照して、対応する転送先の第２の端末の識別情報を取得し、取得された第２の端末の識別情報を呼制御サーバに送信するステップと、
呼制御サーバは、第２の端末の識別情報を受信し、発信元の第３の端末の識別情報と転送先の第２の端末の識別情報とを含む第２の発呼要求を、第２のキャリア網を介して第２の端末へ送信するステップと、
該第２の発呼要求を受信した着信先の第２の端末と発信元の第３の端末で通信されるステップと
を含む前記呼転送制御方法が提供される。
【発明の効果】
【００１６】
本発明によると、あるキャリア網の端末への着信を他のキャリア網への端末へ転送する際に、キャリアが個人情報を共有せずに着信の転送を実現する呼転送システム及び呼転送制御方法を提供することができる。また、本発明によると、端末Ａからあるキャリア網の端末Ｂへの着信を他のキャリア網の端末Ｃへ転送する際に、端末Ｂに課金されずに通信するシステム及び呼転送制御方法を提供することができる。
【発明を実施するための最良の形態】
【００１７】
図１は、ホームプレゼンスサーバ接続ネットワークの全体構成図である。
本ネットワーク（呼転送システム）は、例えば、ホームプレゼンスサーバ（ホームサーバ）３と、ＳＩＰサーバ（呼制御サーバ）４とを備える。また、本システムは、キャリア網Ａ契約の端末（第１の端末）２ａと、キャリア網Ｂ契約の端末２ｂと、キャリア網Ｃ契約の端末（第２の端末）２ｃを有する。例えば、端末２ａは、ＩＰ固定電話であり、端末２ｂ、２ｃは携帯電話端末である。このシステムでは、ＳＩＰサーバ４がキャリア網Ａに設置されている。
【００１８】
ホームプレゼンスサーバ３は加入者宅内に設置され、またキャリア網Ａ契約のＩＰ固定電話端末２ａ（以下、単に端末２ａ又はＩＰ固定電話２ａと呼ぶこともある）も加入者宅内に設置されている。ホームプレゼンスサーバ３は、転送先の端末の識別情報が予め記憶されている。ＳＩＰサーバ４は、ＳＩＰに従い、呼制御を行うサーバである。ＳＩＰサーバ４には、端末２ａ等とホームプレゼンスサーバ３の対応関係が記憶されている。なお、本実施の形態では、ＳＩＰを用いているが、他の適宜の呼制御プロトコルを用いてもよい。
【００１９】
本家庭（又はユーザ）においては、キャリア網Ｂ契約の携帯電話端末２ｂ（以下、単に端末２ｂと呼ぶこともある）及びキャリア網Ｃ契約の携帯電話端末２ｃ（以下、単に端末２ｃと呼ぶこともある）等の複数キャリア契約の電話端末が使用されている。携帯電話端末２ｂは、宅内又は外出先において基地局等を介してキャリア網Ｂと通信する。携帯電話端末２ｃは、宅内又は外出先において基地局等を介してキャリア網Ｃと通信する。
【００２０】
まず、発側の端末（第３の端末）１が端末２ａに発呼すると、キャリア網ＡのＳＩＰサーバ４によりホームプレゼンスサーバ３に発呼される。ホームプレゼンスサーバ３には、キャリア網より発呼があった場合に着信させたい電話端末を、加入者宅内の契約者自身が、プレゼンス情報として予めデータ登録する。キャリア網からホームプレゼンスサーバ３への発呼（アクセス）契機及びホームプレゼンスサーバ３が端末２ａへの発呼を検知する契機は、例えば、以下の場合がある。なお、詳細な処理は後述する。
（１）発側の端末１が指定した宛先のＩＰ固定電話２ａをｎ秒呼び出しして応答無しの場合。
（２）発側の端末１がＦＭＣ用の０６０相当（例えば０６１）番号などの予め定められた特番を付与して発信した場合。
（３）ホームプレゼンスサーバ３自身が端末２ａへの呼び出し状況を監視し、自己検知した場合。
【００２１】
発呼要求のあったＩＰ固定電話端末２ａの電番又はＳＩＰ  ＵＲＩをキーとして、ホームプレゼンスサーバ３は、事前にプレゼンス情報として登録された転送先である端末（例えば、携帯電話端末２ｃ）の電番又はＳＩＰ  ＵＲＩを抽出する。また、ホームプレゼンスサーバ３は、リダイレクション情報としてキャリア網ＡのＳＩＰサーバ４へレスポンスを返送する。キャリア網ＡのＳＩＰサーバ４はリダイレクション機能を使ってキャリア網Ｃの携帯電話端末２ｃへ発呼する。これにより、発側の端末１と端末２ｃとの通信が可能になる。なお、図１ではひとつの加入者宅を示しているが、複数の加入者宅を備え、キャリア網ＡのＳＩＰサーバ４は各加入者宅に備えられた複数のホームプレゼンスサーバ３と通信可能である。
【００２２】
図２は、加入者宅ネットワーク構成概念図である。
加入者宅ネットワーク１０は、例えば、ＩＰ固定電話２ａ等が通信するＩＰネットワークと、携帯電話２ｂ、２ｃが通信する無線ネットワークを含む。ＩＰネットワークは、例えば、ゲートウェイ１１と、プレゼンス情報を格納したホームプレゼンスサーバ３と、プレゼンス情報を書き換え可能なＰＣ１２と、ＩＰ固定電話２ａとを有し、それぞれがＬＡＮ（Ｌｏｃａｌ  Ａｒｅａ  Ｎｅｔｗｏｒｋ）で接続されている。また、ＩＰネットワークは、プレゼンス情報管理テーブル１３を記憶した記憶領域を有する。なお、プレゼンス情報管理テーブル１３はホームサーバ内に備えられてもよい。なお、各携帯電話は、契約キャリアとの間で発着信を行う。
【００２３】
ホームプレゼンスサーバ３は、図示のように独立したサーバであってもよいし、例えば、ホームプレゼンスサーバ３とゲートウェイ１１とがひとつの装置で構成されてもよい。また、ホームプレゼンスサーバ３と端末２ａが、ひとつの装置で構成されてもよい。また、ホームプレゼンスサーバ３は、端末２ａ等の所有者、契約者等により管理される。
【００２４】
図３は、プレゼンス情報管理テーブル１３の構成図である。
プレゼンス情報管理テーブル（プレゼンス情報記憶領域）１３は、例えば、着信先電話番号及び／又は着信先ＵＲＩ（例えばＳＩＰ  ＵＲＩ）に対応して、転送有無情報と、転送先電話番号及び／又は転送先ＵＲＩとが登録されている。図３の例では、ＩＰ固定電話２ａの電話番号（０４５−ｘｘｘ−ｘｘｘｘ）と端末ＵＲＩ（ａａａａ＠ｂｂｂｂ．ｃｏｍ）に対応して、転送有無情報として転送「有」と、転送先端末の電番と転送先端末のＵＲＩとして、携帯電話端末２ｃの電話番号（０８０−ｚｚｚｚ−ｚｚｚｚ）と、ＵＲＩ（ｅｅｅｅ＠ｆｆｆｆ．ｃｏｍ）が記憶されている。本実施の形態においては、プレゼンス情報管理テーブル１３に記憶される各情報は、ユーザにより所定の端末等を介して記憶され、宅内に設置されるホームプレゼンスサーバ３により参照されるため、個人情報を複数のキャリアで共有する必要がない。なお、電番とＵＲＩの双方が記憶されてもよいし、いずれか一方であってもよい。本実施例では電番、ＵＲＩを用いているが端末、ホームプレゼンスサーバを識別する適宜の識別情報を用いても良い。
【００２５】
図８は、端末サーバ対応テーブル４１の構成図である。
端末サーバ対応テーブル（サーバ情報記憶領域）４１は、例えば、着信端末の電番又はＳＩＰ  ＵＲＩに対応して、ホームプレゼンスサーバ３のＳＩＰ  ＵＲＩが予め記憶されている。各情報は、例えば、キャリア網Ａの管理者が登録してもよいし、ホームプレゼンスサーバ３を所有するユーザが端末２ａやＰＣ１２、他の端末等から登録してもよい。
【００２６】
図４は、キャリア側リダイレクション制御のシーケンス図（１）である。
まず、ＩＰ固定電話２ａへの着信をｎ秒呼び出しし、ＩＰ固定電話２ａの応答がないことを契機に、ＳＩＰサーバ４がホームプレゼンスサーバ３へ接続する動作例について説明する。
【００２７】
まず、端末（例えばユーザ電話端末）１が、キャリア網Ａ契約のＩＰ固定電話２ａの電番又はＳＩＰ  ＵＲＩに発呼する（Ｓ１０１）。例えば、端末１は、ＳＩＰに従い、発信元の自端末１のＳＩＰ  ＵＲＩ（識別情報）と着信先のＩＰ固定電話２ａのＳＩＰ  ＵＲＩとを含むＩＮＶＩＴＥメッセージ（第１の発呼要求）をＳＩＰサーバ４に送信する。端末１のユーザは、ＩＰ固定電話２ａの電番又はＳＩＰ  ＵＲＩを予め知っているものとする。なお、電番とＳＩＰ  ＵＲＩは対応しており、電番とＳＩＰ  ＵＲＩが対応して記憶された適宜のサーバ又は適宜の記憶領域を適宜のタイミングで参照して、電番とＳＩＰ  ＵＲＩの一方から他方を特定することができる。
【００２８】
発呼を受信したキャリア網ＡのＳＩＰサーバ４は、加入者宅ＨのＩＰ固定電話２ａに発呼する（Ｓ１０３）。例えば、ＳＩＰサーバ４は、受信したＩＮＶＩＴＥメッセージの着信先のＳＩＰ  ＵＲＩに従い、ＩＰ固定電話２ａにＩＮＶＩＴＥメッセージを送信する。ここで、ＩＰ固定電話２ａが呼び出される。なお、ＳＩＰサーバ４は、ＳＩＰに従い、端末１に１００  ｔｒｙｉｎｇメッセージを送信する（Ｓ１０５）。
【００２９】
ＩＰ固定電話２ａが応答しないことにより、ｎ秒呼び出しして応答が無い場合、キャリア網ＡのＳＩＰサーバ４は加入者宅Ｈのホームプレゼンスサーバ３に発呼する（Ｓ１０７）。なお、呼び出す時間ｎは予め定めることができる。端末２ａのＳＩＰ  ＵＲＩ又は電番に対応してホームプレゼンスサーバ３のＳＩＰ  ＵＲＩが予めＳＩＰサーバ４の端末サーバ対応テーブル４１に登録されている。例えば、ＳＩＰサーバ４は、端末１から受信したＩＮＶＩＴＥメッセージに含まれる着信先のＩＰ固定電話２ａのＳＩＰ  ＵＲＩ又は電番に基づき、対応するホームプレゼンスサーバ３のＳＩＰ  ＵＲＩを取得し、取得されたＳＩＰ  ＵＲＩを宛先としてＩＮＶＩＴＥメッセージをホームプレゼンスサーバ３に送信する。このとき、ＳＩＰサーバ４はホームプレゼンスサーバ３へのＩＮＶＩＴＥメッセージに、着信先のＩＰ固定電話２ａのＳＩＰ  ＵＲＩ又は電番を付加する。例えば、ＳＩＰサーバ４はメッセージの所定のフィールドに着信先のＩＰ固定電話２ａのＳＩＰ  ＵＲＩ（ａａａａ＠ｂｂｂｂ．ｃｏｍ）を含めることができる。
【００３０】
ホームプレゼンスサーバ３は、ＳＩＰサーバ４からのＩＮＶＩＴＥメッセージを受信する。ホームプレゼンスサーバ３は、ＩＮＶＩＴＥメッセージに付加されたＩＰ固定電話２ａのＳＩＰ  ＵＲＩ又は電番をキーにプレゼンス情報管理テーブル１３を検索し、転送先として、対応する電話端末のＳＩＰ  ＵＲＩ又は電番を抽出する（Ｓ１０９）。図３に示すプロセス情報管理テーブル１３の例では、携帯電話端末２ｃのＳＩＰ  ＵＲＩ（ｅｅｅｅ＠ｆｆｆｆ．ｃｏｍ）が取得される。
【００３１】
ホームプレゼンスサーバ３は、キャリア網ＡのＳＩＰサーバ４からの発呼レスポンスとして、取得された転送先のＳＩＰ  ＵＲＩ又は電番（ここでは携帯電話端末２ｃのＳＩＰ  ＵＲＩ）をリダイレクション情報としてＳＩＰサーバ４に返送する（Ｓ１１１）。例えば、ホームプレゼンスサーバ３は、ＳＩＰの３０２  Ｍｏｖｅｄメッセージに、取得された転送先のＳＩＰ  ＵＲＩ又は電番を含めてＳＩＰサーバ４に送信する（番号変更要求）。なお、ＳＩＰサーバ４はホームプレゼンスサーバ３にＡＣＫを返してもよい（Ｓ１１３）。
【００３２】
キャリア網ＡのＳＩＰサーバ４は、受信したリダイレクション情報に基づき、キャリア網Ｃを介して携帯電話端末２ｃに発呼する（Ｓ１１５）。例えば、ＳＩＰサーバ４は、リダイレクション情報として携帯電話端末２ｃのＳＩＰ  ＵＲＩ又は電番を受信する。また、ＳＩＰサーバ４は、例えば、発信元の端末１のＳＩＰ  ＵＲＩと受信した転送先の携帯電話端末２ｃのＳＩＰ  ＵＲＩとを含むＩＮＶＩＴＥメッセージ（第２の発呼要求）を、キャリア網Ｃを介して携帯電話端末２ｃへ送信する。なお、転送先の電番を受信した場合には、対応するＳＩＰ  ＵＲＩを適宜取得する。
【００３３】
ＩＮＶＩＴＥメッセージに従い携帯電話端末２ｃが呼び出され、携帯電話端末２ｃが応答すると、端末１と携帯電話端末２ｃ間で通話が行われる（Ｓ１１７〜Ｓ１３１）。会話が終了すると、一方の端末（例えば発側端末１）から他方の端末（例えば端末２ｃ）に対して接続終了通知（例えば、ＢＹＥメッセージ）が送信され、通話が切断される（Ｓ１３３〜１３９）。なお、図示のように、ＳＩＰに従い、１８０  Ｒｉｎｇｉｎｇや２００  ＯＫ、ＡＣＫなどが送受信されるが、詳細な説明を省略する。
【００３４】
図５は、キャリア側リダイレクション制御のシーケンス図（２）である。
次に、発側端末１が特別番号０ＸＹ（例えば０６１）を付与して発信し、キャリア側でホームプレゼンスサーバ３へ接続する動作例について説明する。なお、特別番号は予め定めることができる。
【００３５】
端末１が、着信先のＩＰ固定電話２ａの電番に特別番号を付与してキャリア網Ａ契約のＩＰ固定電話２ａに発呼する（Ｓ２０１）。
発呼を受信したキャリア網ＡのＳＩＰサーバ４では、特別番号が付与されていることにより、加入者宅Ｈのホームプレゼンスサーバ３に発呼する（Ｓ２０３）。より具体的には、まず着信先のＩＰ固定電話２ａの電番より加入者宅Ｈのホームプレゼンスサーバ３の電番を特定する。端末２ａの電番に対応してホームプレゼンスサーバ３のＳＩＰ  ＵＲＩが予めＳＩＰサーバ４の端末サーバ対応テーブル４１に登録されている。例えば、ＳＩＰサーバ４は、端末サーバ対応テーブル４１を参照して端末１から受信した電番のうち、特別番号を除く着信先のＩＰ固定電話の電番部分に基づき、対応するホームプレゼンスサーバ３のＳＩＰ  ＵＲＩを取得する。ＳＩＰサーバ４は、取得されたＳＩＰ  ＵＲＩを宛先としてＩＮＶＩＴＥメッセージをホームプレゼンスサーバ３に送信する。このとき、ＳＩＰサーバ４はホームプレゼンスサーバ３へのＩＮＶＩＴＥメッセージに、着信先のＩＰ固定電話２ａの電番を付加する。例えば、ＳＩＰサーバ４はメッセージの所定のフィールドに着信先のＩＰ固定電話２ａの電番を含めることができる。なお、ＩＰ固定電話２ａの電番とＳＩＰ  ＵＲＩの対応関係を予め記憶した記憶領域を参照して、電番からＳＩＰ  ＵＲＩを求めて、ＳＩＰ  ＵＲＩをホームプレゼンスサーバ３へのＩＮＶＩＴＥメッセージに付加してもよい。また、ＳＩＰサーバ４は、ＳＩＰに従い、端末１に１００  ｔｒｙｉｎｇメッセージを送信する（Ｓ１０５）。
以降の処理は上述と同様であるので、同じステップ番号を付し、概要を説明して詳細な説明は省略する。
【００３６】
ホームプレゼンスサーバ３はＩＰ固定電話２ａの電番又はＳＩＰ  ＵＲＩをキーにプレゼンス情報管理テーブル１３を検索し、転送先として携帯電話端末２ｃの電番又はＳＩＰ  ＵＲＩを抽出する（Ｓ１０９）。
【００３７】
ホームプレゼンスサーバ３は、キャリア網ＡのＳＩＰサーバ４からの発呼レスポンスとして、取得された転送先の携帯電話端末２ｃの電番又はＳＩＰ  ＵＲＩをリダイレクション情報としてＳＩＰサーバ４に返送する（Ｓ１１１）。
【００３８】
キャリア網ＡのＳＩＰサーバ４は、受信したリダイレクション情報に基づき、キャリア網Ｃを介して携帯電話端末２ｃに発呼する（Ｓ１１５）。ＩＮＶＩＴＥメッセージに従い携帯電話端末２ｃが呼び出され、携帯電話端末２ｃが応答することで端末１と携帯電話端末２ｃ間で通話が行われる（Ｓ１１７〜Ｓ１３１）。会話が終了して発側端末１から携帯電話端末２ｃに対して接続終了通知が送信され、通話が切断される（Ｓ１３３〜１３９）。
【００３９】
図６は、キャリア側リダイレクション制御のシーケンス図（３）である。
次に、ホームプレゼンスサーバ３自身が端末２ａへの呼び出し状況を監視し、自己検知する動作例について説明する。
【００４０】
端末１が、キャリア網Ａ契約のＩＰ固定電話２ａの電番又はＳＩＰ  ＵＲＩに発呼する（Ｓ３０１）。例えば、端末１は、ＳＩＰに従い、発信元の自端末１のＳＩＰ  ＵＲＩ（識別情報）と着信先の端末２ａのＳＩＰ  ＵＲＩとを含むＩＮＶＩＴＥメッセージ（第１の発呼要求）をＳＩＰサーバ４に送信する。
【００４１】
発呼を受信したキャリア網ＡのＳＩＰサーバ４は、加入者宅ＨのＩＰ固定電話２ａに発呼する（Ｓ３０３）。例えば、ＳＩＰサーバ４は、受信したＩＮＶＩＴＥメッセージの着信先のＳＩＰ  ＵＲＩに従い、ＩＰ固定電話２ａにＩＮＶＩＴＥメッセージを送信する。なお、ＳＩＰに従い、ＳＩＰサーバ４は、１００  ｔｒｙｉｎｇメッセージを端末１に送信し（Ｓ３０５）、ＩＰ固定電話２ａは、１００  ｔｒｙｉｎｇメッセージをＳＩＰサーバ４に送信する（Ｓ３０９）。
【００４２】
加入者宅ＨのＩＰ固定電話２ａと同じＬＡＮ上に接続されたホームプレゼンスサーバ３は、ＩＰ固定電話２ａへの着信信号を常時監視しており、ＩＰ固定電話２ａへの着信を検知する（Ｓ３０７）。ホームプレゼンスサーバ３は、ＩＰ固定電話２ａへの着信を検知すると、ＩＰ固定電話２ａに発呼キャンセルを指示する（Ｓ３１１）。
【００４３】
ホームプレゼンスサーバ３は、ＩＰ固定電話２ａの電番又はＳＩＰ  ＵＲＩをキーにプレゼンス情報管理テーブル１３を検索し、転送先として、対応する携帯電話端末２ｃの電番又はＳＩＰ  ＵＲＩを抽出する（Ｓ３１３）。なお、プレゼンス情報管理テーブル１３の対応する転送有無情報が転送無になっている場合は、ＩＰ固定電話２ａに再度着信するようにしてもよい。例えば、ホームプレゼンスサーバ３がＩＮＶＩＴＥメッセージをＩＰ固定電話２ａに送信してもよいし、ホームプレゼンスサーバ３がＳＩＰサーバ４にＩＮＶＩＴＥメッセージをＩＰ固定電話２ａに再送するよう要求してもよい。また、ホームプレゼンスサーバ３は、上述の発呼キャンセルの指示（Ｓ３１１）の前にプレゼンス情報管理テーブル１３の転送有無情報を参照し、転送有の場合に上述のステップＳ３１１を実行し、一方、転送無の場合はステップＳ３１１以降の処理を実行しないようにしてもよい。
【００４４】
ホームプレゼンスサーバ３は、キャリア網ＡのＳＩＰサーバ４からの発呼レスポンスとして、抽出された携帯電話端末２ｃの電番又はＳＩＰ  ＵＲＩをリダイレクション情報としてＳＩＰサーバ４に返送する（Ｓ３１５）。例えば、ホームプレゼンスサーバ３は、ＳＩＰの３０２  Ｍｏｖｅｄメッセージに、取得された転送先のＳＩＰ  ＵＲＩ又は電番を含めてＳＩＰサーバ４に送信する（番号変更要求）。
以降の処理は上述と同様であるので、同じステップ番号を付し、概要を説明して詳細な説明は省略する。
【００４５】
キャリア網ＡのＳＩＰサーバ４は、受信したリダイレクション情報に基づき、キャリア網Ｃを介して携帯電話端末２ｃに発呼する（Ｓ１１５）。ＩＮＶＩＴＥメッセージに従い携帯電話端末２ｃが呼び出され、携帯電話端末２ｃが応答することで端末１と携帯電話端末２ｃ間で通話が行われる（Ｓ１１７〜Ｓ１３１）。会話が終了して発側端末１から携帯電話端末２ｃに対して接続終了通知が送信され、通話が切断される（Ｓ１３３〜１３９）。
【００４６】
図７は、プレゼンス情報登録方法の説明図である。
ホームプレゼンスサーバ３へのプレゼンス情報登録及び更新の方法としては、以下の例がある。
（１）加入者宅ＨのＬＡＮ上のＰＣ１２から登録及び更新する。
（２）加入者宅ＨのＬＡＮ上のＩＰ固定電話２ａから登録及び更新する。
（３）所有携帯電話端末２ｂ、２ｃからキャリア網を介して登録及び更新する。
（４）公衆電話端末からキャリア網を介して登録及び更新する。
なお、ホームプレゼンスサーバ３には、ＰＣ１２、端末２ａ、２ｂ、２ｃ以外の端末、又は、これら端末の所有者以外からはアクセスできないようなアクセス制限がかけられていてもよい。
【産業上の利用可能性】
【００４７】
本発明は、例えば、複数のキャリア網を有するＩＰネットワークに利用可能である。
【図面の簡単な説明】
【００４８】
【図１】ホームプレゼンスサーバ接続ネットワーク全体構成概念図。
【図２】加入者宅ネットワーク構成概念図。
【図３】プレゼンス情報管理テーブルの構成図。
【図４】キャリア側リダイレクション制御シーケンス図（１）。
【図５】キャリア側リダイレクション制御シーケンス図（２）。
【図６】キャリア側リダイレクション制御シーケンス図（３）。
【図７】プレゼンス情報登録方法の説明図。
【図８】端末サーバ対応テーブルの構成図。
【符号の説明】
【００４９】
１  端末
２ａ  ＩＰ固定電話端末
２ｂ、２ｃ  携帯電話端末
３  ホームプレゼンスサーバ
４  ＳＩＰサーバ
１０  加入者宅ネットワーク
１１  ゲートウェイ
１２  ＰＣ
１３  プレゼンス情報管理テーブル
４１  端末サーバ対応テーブル
【図１】
0004997159.tif 000002
【図２】
0004997159.tif 000003
【図３】
0004997159.tif 000004
【図４】
0004997159.tif 000005
【図５】
0004997159.tif 000006
【図６】
0004997159.tif 000007
【図７】
0004997159.tif 000008
【図８】
0004997159.tif 000009